(57)【要約】【課題】履物内部を清潔且つ衛生的な状態に保つことができ、銅板を用いるよりも安価に製造することができる履物用銅コーティング板及び履物用銅コーティング板を内蔵した履物を提供する。【解決手段】金属板２全体に銅被膜３をコーティングしてなる履物用銅コーティング板１を履物Ａ内部に挿入するか、履物Ａの一部に挟み込むことで、金属板２にコーティングした銅被膜３の抗菌作用、殺菌作用、消臭作用により、履物Ａ内部に発生した雑菌の増殖を抑え、水虫や悪臭等の原因となる菌を殺菌して、履物Ａ内部の不快な臭いを消臭するので、履物Ａ内部を清潔且つ衛生的な状態に保つことができる。また、銅被膜３を金属板２にコーティングするので、銅板のみで構成するよりもコストが安く、安価に製造及び販売することができる。【選択図】図４
0003130515.tif 000002
【実用新案登録請求の範囲】
【請求項１】
履物内部に挿入される大きさ及び形状に形成した金属板外面に銅被膜を略均一にコーティングした
履物用銅コーティング板。
【請求項２】
上記金属板の一部又は全体に、開口面積が大きい開口部を複数形成した
請求項１に記載の履物用銅コーティング板。
【請求項３】
上記金属板外面の一部又は全体に銅被膜をコーティングした
請求項１又は２に記載の履物用銅コーティング板。
【請求項４】
上記金属板を、上記底部、爪先部、甲部、踵部、土踏まず部等の履物の少なくとも一部と対応する大きさ及び形状に形成した
請求項１〜３のいずれか一つに記載の履物用銅コーティング板。
【請求項５】
上記履物用銅コーティング板の履物内面と接触する部分に、接触抵抗が大きい滑り止め部材を装着した
請求項１〜４のいずれか一つに記載の履物用銅コーティング板。
【請求項６】
履物を構成する外皮部材と内皮部材の間に、金属板外面に銅被膜をコーティングしてなる履物用銅コーティング板を一体的に挟み込んだ
履物用銅コーティング板を内蔵した履物。
【請求項７】
上記履物用銅コーティング板を構成する金属板の一部又は全体に、開口面積が大きい開口部を複数形成した
請求項６に記載の履物用銅コーティング板を内蔵した履物。
【請求項８】
上記履物用銅コーティング板を構成する金属板外面の一部又は全体に銅被膜をコーティングした
請求項６又は７に記載の履物用銅コーティング板を内蔵した履物。
【請求項９】
上記履物用銅コーティング板を、上記底部、爪先部、甲部、踵部、土踏まず部等の履物の少なくとも一部を構成する外皮部材と内皮部材の間に挟み込んだ
請求項６〜８のいずれか一つに記載の履物用銅コーティング板を内蔵した履物。
【考案の詳細な説明】
【技術分野】
【０００１】
この考案は、例えばボーリングシューズ、ゴルフシューズ、サッカーシューズ、野球靴等の競技用シューズ、ウォーキングシューズ、ハイキングシューズ、安全靴、通勤靴、雨靴、ブーツ等の履物内部を清潔且つ衛生的な状態に保つ際に用いられる履物用銅コーティング板及び履物用銅コーティング板を内蔵した履物に関する。
【背景技術】
【０００２】
従来、上記履物内部を抗菌する方法としては、例えば適当寸法に裁断する銅板に透孔を多数穿設するとともに、該銅板を縦又は横に凹凸の波模様にプレスするか、適当な凹凸の型模様にプレスしてなる特許文献１の靴の中敷がある。
【特許文献１】実開昭５１−１５６２３４号公報
【考案の開示】
【考案が解決しようとする課題】
【０００３】
しかし、上記中敷は、銅板のみの単一材質により構成しているので、銅に別の金属を複合するよりもコストが掛かるため、中敷の販売価格が高くなる。例えば銅板の肉厚を薄くすると、材料費が安くなるが、剛性が低下するため、中敷が変形したり、折れ曲がったりしやすくなる。一方、銅板の肉厚を厚くして、剛性を高めると、材料費が高くなるだけでなく、中敷全体の重量が重くなるため、取り扱いにくくなる。また、靴内部の皮や布地、靴下の繊維等が銅板の透孔に詰まりやすく、通気性が低下する。また、汗や湿気等の水分も銅板の透孔に溜まりやすく、雑菌や異臭等が発生する原因となる。
【０００４】
この考案は上記問題に鑑み、履物内部を清潔且つ衛生的な状態に保つことができ、銅板を用いるよりも安価に製造することができる履物用銅コーティング板及び履物用銅コーティング板を内蔵した履物の提供を目的とする。
【課題を解決するための手段】
【０００５】
請求項１に記載した考案の履物用銅コーティング板は、履物内部に挿入される大きさ及び形状に形成した金属板外面に銅被膜を略均一にコーティングしたことを特徴とする。
【０００６】
この考案によると、履物用銅コーティング板を履物内部に挿入しておけば、金属板にコーティングした銅被膜の抗菌作用、殺菌作用、消臭作用により、履物内部に発生した雑菌の増殖を抑え、水虫や悪臭等の原因となる菌を殺菌して、履物内部の不快な臭いを消臭するので、履物内部を清潔且つ衛生的な状態に保つことができる。また、鉄等の金属からなる金属板に銅被膜をコーティングするので、銅板を用いるよりもコストが安く、安価に製造及び販売することができる。
【０００７】
上記履物は、例えばボーリングシューズ、ゴルフシューズ、サッカーシューズ、野球靴等の競技用シューズ、ウォーキングシューズ、ハイキングシューズ、安全靴、通勤靴、雨靴、ブーツ等で構成することができる。また、金属板は、例えば銅板よりも材料費が安価な鉄製の板材等で構成することができる。なお、銅板よりも安価であれば、鉄以外の金属で形成された板材を用いてもよい。また、金属板に銅被膜をコーティングする方法は、例えば金属板外面に銅を鍍金する方法と、蒸着する処理と、塗布する方法と、銅箔を被覆する方法等で構成することができる。
【０００８】
請求項２に記載した考案の履物用銅コーティング板は、上記請求項１に記載の構成と併せて、上記金属板の一部又は全体に、開口面積が大きい開口部を複数形成したことを特徴とする。
【０００９】
この考案によると、履物用銅コーティング板に形成した各開口部の開口面積が大きく、履物用銅コーティング板を挿入した履物内部の通気が効率よく行われるので、抗菌、殺菌、消臭に要する処理時間を短縮することができる。また、汗や湿気等の水分も効率よく通気されるので、雑菌や異臭等が発生するのを防止することができる。また、靴内部の皮や布地、靴下の繊維等が詰まったりせず、通気性が安定して得られる。
【００１０】
また、全開口部の開口面積が、該全開口部を除いた金属板の残り部分の面積よりも大きくても、金属板の残り部分に付着した銅により十分な効果が期待できるので、金属板及び銅の使用量が少なくて済み、製造時のコストが低減されるため、安価に製造及び販売することができる。また、銅コーティング板全体の重量が軽く、軽量化が図れるので、取り扱い性が向上する。
【００１１】
上記開口部は、例えば長方形、三角形、楕円形、台形、菱形、丸形、星形等の単一形状に形成するか、これら複数の形状を組み合わせた複合形状に形成する等してもよい。また、各開口部を、略同一の大きさ及び形状に形成するか、異なる大きさ及び形状に形成する等してもよい。
【００１２】
請求項３に記載した考案の履物用銅コーティング板は、上記請求項１又は２に記載の構成と併せて、上記金属板外面の一部又は全体に銅被膜をコーティングしたことを特徴とする。
【００１３】
この考案によると、履物用銅コーティング板が挿入された履物の一部又は全体、例えば底部、爪先部、甲部、踵部、土踏まず部等を銅により抗菌、殺菌、消臭することができる。なお、金属板外面の一部とは、金属板の片面を含むものである。また、金属板外面の全体とは、金属板の表裏両面を含むものである。
【００１４】
請求項４に記載した考案の履物用銅コーティング板は、上記請求項１〜３のいずれか一つに記載の構成と併せて、上記金属板を、上記履物内部の底部、爪先部、甲部、踵部、土踏まず部等の少なくとも一部と対応する大きさ及び形状に形成したことを特徴とする。
【００１５】
この考案によると、履物用銅コーティング板が挿入された履物の底部、爪先部、甲部、踵部、土踏まず部の少なくとも一部を、銅により抗菌、札菌、消臭することができる。
【００１６】
請求項５に記載した考案の履物用銅コーティング板は、上記請求項１〜４のいずれか一つに記載の構成と併せて、上記履物用銅コーティング板の履物内面と接触する部分に、接触抵抗が大きい滑り止め部材を装着したことを特徴とする。
【００１７】
この考案によると、履物内面に付与される滑り止め部材の接触抵抗により、履物用銅コーティング板の挿入位置が変位するのを防止するので、履物用銅コーティング板が挿入された部分又は付近を銅により抗菌、殺菌、消臭することができる。なお、滑り止め部材は、例えば合成ゴム、粘着剤等で構成することができる。
【００１８】
請求項６に記載した考案の履物用銅コーティング板を内蔵した履物は、履物を構成する外皮部材と内皮部材の間に、金属板外面に銅被膜をコーティングしてなる履物用銅コーティング板を一体的に挟み込んだことを特徴とする。
【００１９】
この考案によると、履物用銅コーティング板が内蔵された履物を移動するか、履物を履いて歩行又は走行する等しても、履物用銅コーティング板の挟み込み位置が変位することがなく、履物用銅コーティング板が挟み込まれた部分又は付近を、金属板にコーティングした銅により抗菌、殺菌、消臭することができる。
【００２０】
請求項７に記載した考案の履物用銅コーティング板を内蔵した履物は、上記請求項６に記載の構成と併せて、上記履物用銅コーティング板を構成する金属板の一部又は全体に、開口面積が大きい開口部を複数形成したことを特徴とする。
【００２１】
この考案によると、履物用銅コーティング板に形成した各開口部の開口面積が大きく、履物用銅コーティング板が挟み込まれた部分の通気が効率よく行われるので、抗菌、殺菌、消臭等に要する処理時間を短縮することができる。また、汗や湿気等の水分も効率よく通気されるので、雑菌や異臭等が発生するのを防止することができる。また、全開口部の開口面積が、該全開口部を除いた金属板の残り部分の面積よりも大きくても、金属板の残り部分に付着した銅により十分な効果が期待できるので、金属板及び銅の使用量が少なくて済み、製造時のコストが低減されるため、安価に製造及び販売することができる。
【００２２】
請求項８に記載した考案の履物用銅コーティング板を内蔵した履物は、上記請求項６又は７に記載の構成と併せて、上記履物用銅コーティング板を構成する金属板外面の一部又は全体に銅被膜をコーティングしたことを特徴とする。
【００２３】
この考案によると、履物用銅コーティング板が挟み込まれた履物の一部又は全体、例えば底部、爪先部、甲部、踵部、土踏まず部等を銅により抗菌、殺菌、消臭することができる。
【００２４】
請求項９に記載した考案の履物用銅コーティング板は、上記請求項６〜８のいずれか一つに記載の構成と併せて、上記履物用銅コーティング板を、上記底部、爪先部、甲部、踵部、土踏まず部等の少なくとも履物の一部を構成する外皮部材と内皮部材の間に挟み込んだことを特徴とする。
【００２５】
この考案によると、履物用銅コーティング板が挟み込まれた履物の底部、爪先部、甲部、踵部、土踏まず部の少なくとも一部を、銅により抗菌、殺菌、消臭付与することができる。また、履物用銅コーティング板を挟み込んだ部分が補強されるため、落下物や重量物等から足を保護することができる。
【考案の効果】
【００２６】
この考案によれば、履物用銅コーティング板を履物内部に挿入するか、履物の一部に挟み込むことで、金属板にコーティングした銅の抗菌作用、殺菌作用、消臭作用により、履物内部に発生した雑菌の増殖を抑え、水虫や悪臭等の原因となる菌を殺菌して、履物内部の不快な臭いを消臭することができる。また、履物用銅コーティング板に形成した各開口部の開口面積が大きく、履物内部の通気が効率よく行われるので、抗菌、殺菌、消臭に要する処理時間を短縮することができる。また、金属板の外面に銅被膜をコーティングしているので、銅板のみで構成するよりもコストが安く、安価に製造及び販売することができる。また、１種類の履物用銅コーティング板を表裏反転すれば、左右どちらの履物にも使用することができるので、右用及び左用の履物用銅コーティング板を２種類製作する必要がない。
【考案を実施するための最良の形態】
【００２７】
この考案は、履物内部を清潔且つ衛生的な状態に保つことができ、銅板を用いるよりも安価に製造することができるという目的を、金属板外面に銅被膜をコーティングしてなる履物用銅コーティング板を履物内部に挿入するか、挟み込むことで達成した。
【実施例】
【００２８】
この考案の一実施例を以下図面に基づいて詳述する。  
図面は、履物内部の底部上に敷設される履物用銅コーティング板を示し、図１に於いて、この履物用銅コーティング板１は、履物Ａ内部の底部Ａａと対応する足形状（足の裏形状）に形成した金属板２全体（図１、図２に示す爪先部Ｘ、土踏まず部Ｙ、踵部Ｚ）に、開口面積が大きい開口部２ｄを所定間隔に隔てて複数形成している。また、金属板２の表裏両面を含む外面全体に、薄膜状の銅被膜３を略均一にコーティングしている。
【００２９】
上記爪先部Ｘは、図１、図２に示す金属板２の上端部に対応する。また、土踏まず部Ｙは、図１、図２に示す金属板２の中央部に対応する。また、踵部Ｚは、図１、図２に示す金属板２の下端部に対応する。
【００３０】
金属板２は、図２、図３にも示すように、足形状を維持するのに必要な剛性及び厚みの少なくとも一方を有する鉄製の板材で構成されており、１枚以上の金属板を切り取ることが可能な大きさ及び形状に形成された鉄製の板材を、例えば打ち抜き機の金型で打ち抜くか、レーザー切断機で切断する等して、図２中の左側平面図及び図３中の上側断面図に示すような足形状を有する金属板２を製作する。
【００３１】
足形状に形成した金属板２の表裏両面を含む外面全体に銅を鍍金するか、蒸着する等して、図２中の右側平面図及び図３中の下側断面図に示すように、薄膜状の銅被膜３を金属板２の外面全体に対して略均一にコーティングしている。なお、銅被膜３は、抗菌作用、殺菌作用、消臭作用を発揮するのに十分な厚みに形成している。
【００３２】
実施例では、金属板２の厚みを、１ｍｍ〜１．５ｍｍの範囲に含まれる厚みに形成しているが、例えば１ｍｍ以下又は１．５ｍｍ以上の厚みに変更してもよい。
【００３３】
また、鉄に代わる材質の他の例として、例えばアルミニウム、ステンレス等の足形状を維持するのに必要な剛性、厚みを有する金属で形成してもよい。
【００３４】
金属板２は、履物Ａ内部の底部Ａａに沿って挿入が許容される大きさ及び形状に形成された足形状の足形枠２ａと、足形枠２ａの右側縁部と左側縁部の間に連設された複数の各横枠２ｂ…と、各横枠２ｂ…と直交して足形枠２ａの爪先部Ｘ中央部（図２中の左側平面図に示す金属板の上端中央部）と、踵部Ｚ中央部（図２中の右側平面図に示す金属板の下端中央部）の間に連設された複数の各縦枠２ｃ…で構成される。
【００３５】
各横枠２ｂ…は、後述する爪先部Ｘ、土踏まず部Ｙ、踵部Ｚの各縦枠２ｃ…と直交して足形枠２ａの右側縁部と左側縁部の間に連設され、爪先部Ｘ中央部と踵部Ｚ中央部を結ぶ長さ方向に対して所定等間隔に隔てて複数連設している。
【００３６】
各縦枠２ｃ…は、上記爪先部Ｘ、土踏まず部Ｙ、踵部Ｚの各横枠２ｂ…と直交して足形枠２ａの爪先部Ｘ中央部と踵部Ｚ中央部の間に連設され、爪先部Ｘ中央部と踵部Ｚ中央部を結ぶ長さ方向と平行して複数連設している。
【００３７】
なお、足形枠２ａと、横枠２ｂと、縦枠２ｃは略同一幅に形成している。また、爪先部Ｘ及び踵部Ｚに形成した各縦枠２ｃ…は、土踏まず部Ｙに形成した各縦枠２ｃ…に対して足の親指と対応する側へ片寄った位置に形成しているが、各部の各縦枠２ｃ…を長さ方向に対して略真っ直ぐに連続して形成してもよい。
【００３８】
金属板２を構成する爪先部Ｘの左右平面に形成した各開口部２ｄ，２ｄは、土踏まず部Ｙから爪先部Ｘに向けて徐々に幅狭となる曲面形状に形成している。
【００３９】
土踏まず部Ｙの上端側左右平面に形成した各開口部２ｄ…は、土踏まず部Ｙの上端部から中央部に向けて徐々に幅広となり、その幅広部分から徐々に幅狭となる曲面形状に形成している。
【００４０】
上端側左右平面の各開口部２ｄ，２ｄに続いて中央左右平面に形成した各開口部２ｄ，２ｄは、土踏まず部Ｙの上端部側から下端部側に向けて徐々に幅狭となる曲面形状に形成している。
【００４１】
中央左右平面の各開口部２ｄ，２ｄに続いて下端側左右平面に形成した各開口部２ｄ，２ｄは、土踏まず部Ｙの中央部から下端部に向けて徐々に幅広となる曲面形状に形成している。
【００４２】
踵部Ｚの左右平面に形成した各開口部２ｄ，２ｄは、土踏まず部Ｙから踵部Ｚの上端側から下端側に向けて徐々に幅狭となる曲面形状に形成している。
【００４３】
図示実施例は上記の如く構成するものにして、以下、履物用銅コーティング板１を履物Ａ内部に挿入した使用状態を説明する。
【００４４】
使用後又は不使用の履物Ａを保管する際において、図４に示すように、履物用銅コーティング板１を履物Ａ内部に挿入して底部Ａａ上に敷設しておけば、金属板２にコーティングした銅被膜３の抗菌作用、殺菌作用、消臭作用により、履物Ａ内部に発生した雑菌の増殖を抑え、水虫や悪臭等の原因となる菌を殺菌して、履物Ａ内部の不快な臭いを消臭するので、履物Ａ内部を清潔且つ衛生的な状態に保つことができる。
【００４５】
また、履物Ａを使用する際には、履物用銅コーティング板１を履物Ａ外部に取り出して使用する。或いは、履物用銅コーティング板１が挿入された履物Ａを履いて歩行又は走行してもよく、上記と略同等の作用及び効果が得られる。
【００４６】
また、金属板２の外面全体に銅を鍍金又は蒸着して、金属板２の外面全体に対して銅被膜３を略均一にコーティングするので、銅板のみで構成するよりもコストが安く、安価に製造及び販売することができる。
【００４７】
また、金属板２に形成した各開口部２ｄ…の開口面積が大きく、履物Ａ内部の通気が効率よく行われるので、抗菌、殺菌、消臭に要する処理時間を短縮することができる。また、汗や湿気等の水分も効率よく通気されるので、雑菌や異臭等が発生するのを防止することができる。また、靴内部の皮や布地、靴下の繊維等が詰まったりせず、通気性が安定して得られる。
【００４８】
また、全開口部２ｄ…の開口面積が、該全開口部２ｄ…を除いた金属板２の残り部分の面積よりも大きくても、金属板２の残り部分に付着した銅により十分な効果が期待できるので、金属板２及び銅の使用量が少なくて済み、製造時のコストが低減されるため、安価に製造及び販売することができる。また、履物用銅コーティング板１全体の重量が軽く、軽量化が図れるので、取り扱い性が向上する。
【００４９】
また、１種類の履物用銅コーティング板１を表裏反転すれば、左右どちらの履物Ａにも使用することができるので、右用及び左用の履物用銅コーティング板１を２種類製作する必要がない。
【００５０】
図５は、金属板２の表面に銅被膜３をコーティングした足形状の履物用銅コーティング板１を示し、履物用銅コーティング板１を履物Ａ内部に挿入して底部Ａａ上に敷設すれば、金属板２にコーティングした銅被膜３により履物Ａの底部Ａａを含む内部全体が抗菌、殺菌、消臭されるので、上記実施例と略同等の作用及び効果を奏することができる。また、金属板２の裏面に銅被膜３をコーティングしてもよい。
【００５１】
図６は、履物Ａ内部の底部Ａａ上面と接触する裏面全体又は一部に、接触抵抗が大きい滑り止め部材４を装着した履物用銅コーティング板１を示し、履物用銅コーティング板１を履物Ａ内部に挿入して、滑り止め部材４を底部Ａａ上面に接触させれば、底部Ａａ上面に付与される滑り止め部材４の接触抵抗により、履物用銅コーティング板１の挿入位置が変位するのを防止することができる。また、金属板２にコーティングした銅被膜３により銅被膜３により、履物用銅コーティング板１が挿入された部分又は付近が抗菌、殺菌、消臭されるので、上記実施例と略同等の作用及び効果を奏することができる。なお、滑り止め部材４は、例えば合成ゴム、粘着剤等で構成することができる。
【００５２】
図７は、金属板２の爪先部Ｘ及び踵部Ｚに銅被膜３をコーティングした履物用銅コーティング板１を示し、履物用銅コーティング板１を履物Ａ内部の底部Ａａ上に敷設しておけば、金属板２の爪先部Ｘ及び踵部Ｚにコーティングした銅被膜３により履物Ａの爪先部Ａｂ及び踵部Ａｄが集中して抗菌、殺菌、消臭されるので、上記実施例と略同等の作用及び効果を奏することができる。また、金属板２の爪先部Ｘ又は踵部Ｚのいずれか一方に銅被膜３をコーティングするか、金属板２の土踏まず部Ｙに銅被膜３をコーティングしてもよい。
【００５３】
図８は、履物Ａを構成する爪先部Ａｂ内に、爪先部Ａｂと対応する大きさ及び形状に形成した爪先形状の履物用銅コーティング板１を挿入した他の挿入例を示し、金属板２にコーティングした銅被膜３により履物Ａの爪先部Ａｂ付近が集中して抗菌、殺菌、消臭されるので、上記実施例と略同等の作用及び効果を奏することができる。
【００５４】
また、履物Ａを構成する底部Ａａ、甲部Ａｃ、踵部Ａｄ、土踏まず部Ａｅ等の一つの部分又は爪先部Ｘを含む複数の部分に、少なくとも一つの部分又は爪先部Ａｂを含む複数の部分と対応する大きさ及び形状に形成した履物用銅コーティング板１を挿入してもよい。
【００５５】
図９は、履物Ａを構成する爪先部Ａｂの外皮部材Ａ１と内皮部材Ａ２の間に、爪先部Ａｂと対応する大きさ及び形状に形成した爪先形状の履物用銅コーティング板１を一体的に挟み込んだ他の実施例を示し、履物用銅コーティング板１が爪先部Ａｂに内蔵された履物Ａを移動するか、履物Ａを履いて歩行又は走行しても、履物用銅コーティング板１の挟み込み位置が変位することがない。また、金属板２にコーティングした銅被膜３により履物Ａの爪先部Ａｂ付近が集中して抗菌、殺菌、消臭されるので、上記実施例と略同等の作用及び効果を奏することができる。また、履物用銅コーティング板１を挟み込んだ爪先部Ａｂが補強されるため、落下物や重量物等から足を保護する安全靴として用いることができる。
【００５６】
図１０は、履物Ａを構成する底部Ａａの外皮部材Ａ１と内皮部材Ａ２の間に、底部Ａａと対応する大きさ及び形状に形成した底形状の履物用銅コーティング板１を一体的に挟み込んだ他の挟み込み例を示し、履物用銅コーティング板１の挟み込み位置が変位することがなく、金属板２にコーティングした銅被膜３により履物Ａの底部Ａａを含む内部全体が集中して抗菌、殺菌、消臭されるので、上記実施例と略同等の作用及び効果を奏することができる。
【００５７】
また、履物Ａを構成する甲部Ａｃ、踵部Ａｄ、土踏まず部Ａｅ等の一つの部分又は爪先部Ｘを含む複数の部分に、少なくとも一つの部分又は複数の部分と対応する大きさ及び形状に形成した履物用銅コーティング板１を一体的に挟み込んでもよい。
【００５８】
なお、本考案は、上述の実施例の構成のみに限定されるものではなく、請求項に示される技術思想に基づいて応用することができ、多くの実施の形態を得ることができる。
【００５９】
例えば履物用銅コーティング板１を構成する金属板２の外面全体に銅を塗布するか、銅箔を被覆する等して、銅被膜３を金属板２の外面全体に対して略均一にコーティングしてもよい。また、開口部２ｄを、金属板２を構成する爪先部Ｘ、土踏まず部Ｙ、踵部Ｚ等の少なくとも一つの部分又は複数の部分に形成してもよい。
【００６０】
或いは、金属板２を、体温により足裏と対応する曲面形状に変形し、常温により平坦な形状に復元する形状記憶合金で構成してもよく、変形すると履き心地が良く、復元により履物Ａの型崩れを防止することができる。
【図面の簡単な説明】
【００６１】
【図１】全面に銅をコーティングした履物用銅コーティング板を示す平面図。
【図２】未コーティング及びコーティング済みの金属板を示す平面図。
【図３】上側の図はＡ−Ａ線矢視断面図、下側の図はＢ−Ｂ線矢視断面図。
【図４】履物用銅コーティング板を底部に敷設した履物を示す縦断側面図。
【図５】表面に銅をコーティングした履物用銅コーティング板を示す断面図。
【図６】滑り止め部材を装着した履物用銅コーティング板を示す断面図。
【図７】爪先部及び踵部に銅をコーティングした履物用銅コーティング板を示す平面図。
【図８】履物用銅コーティング板を爪先部に挿入した履物を示す縦断側面図。
【図９】履物用銅コーティング板を爪先部に内蔵した履物を示す縦断側面図。
【図１０】履物用銅コーティング板を底部に内蔵した履物を示す縦断側面図。
【符号の説明】
【００６２】
Ａ…履物
Ａａ…底部
Ａｂ…爪先部
Ａｃ…甲部
Ａｄ…踵部
Ａｅ…土踏まず部
Ｘ…爪先部
Ｙ…土踏まず部
Ｚ…踵部
１…履物用銅コーティング板
２…金属板
２ｄ…開口部
３…銅被膜
４…滑り止め部材
【図１】
0003130515.tif 000003
【図２】
0003130515.tif 000004
【図３】
0003130515.tif 000005
【図４】
0003130515.tif 000006
【図５】
0003130515.tif 000007
【図６】
0003130515.tif 000008
【図７】
0003130515.tif 000009
【図８】
0003130515.tif 000010
【図９】
0003130515.tif 000011
【図１０】
0003130515.tif 000012